(57)【要約】【課題】小型化・薄型化が可能なディスク再生装置を提供することである。【解決手段】基台１の上下面には凹部１１ａ、１１ｂが形成され、この凹部１１ａに支持突起１０１ａ〜１０１ｄを設けて制御基板８をビス等で固定可能にしている。基台１の中には、スピンドルモーター５、ヘッド６、ヘッド移動用モーター７等からなるディスク再生部９が設けられる。また、ディスク搬送用のトレイ２及びトレイ移動用モーター３も設けられる。トレイ移動用モーター３が中継線材３ａにより中継基板４に接続され、スピンドルモーター５が中継線材５ａにより中継基板４に接続され、ヘッド６が中継線材６ａにより制御基板８のコネクタ８ｂに接続され、ヘッド移動用モーター７が中継線材７ａにより中継基板４に接続され、中継基板４が中継線材４ａにより制御基板８のコネクタ８ａに接続されている。【選択図】      図１
2004362641.tif 000002
【特許請求の範囲】
【請求項１】
ディスクを搬送するトレイと、該トレイを駆動するトレイ移動用モーターと、ディスクを回転させるスピンドルモーターと、ディスクの記録内容を読み取るヘッドと、該ヘッドを駆動するヘッド移動用モーターと、各部材を制御する制御基板と、各部材を搭載する基台とを備えたディスク再生装置において、
前記基台の外面に凹部を設け、該凹部に前記制御基板を配設することを特徴とするディスク再生装置。
【請求項２】
前記凹部は、前記トレイに略平行な前記基台の両外面に設けることを特徴とする請求項１記載のディスク再生装置。
【請求項３】
前記凹部に前記制御基板を固定する基板支持部を設けることを特徴とする請求項１又は２記載のディスク再生装置。
【請求項４】
前記各部材と前記制御基板とを電気的に接続する中継基板を設けることを特徴とする請求項１〜３の何れかに記載のディスク再生装置。
【発明の詳細な説明】
【０００１】
【発明の属する技術分野】
本発明は、ディスク状の記録媒体をローディングして再生するディスク再生装置に関するものである。
【０００２】
【従来の技術】
従来のディスク再生装置へのローディング及びディスク再生装置の駆動、制御基板の取り付け状態について説明する。
【０００３】
図３は、制御基板１０３を基台１０１の下面へ取り付けたディスク再生装置の側面図である。基台１０１に支持突起１０１ａ、１０１ｂを設けて基板１０３をビス等で固定可能にしている。基台１０１の中には、スピンドルモーター１０６、ヘッド１０７、ヘッド移動用モーター１０８等からなるディスク再生部１１０が設けられる。また、ディスク搬送用のトレイ１０２及びトレイ移動用モーター１０５も設けられる。
【０００４】
各部材は中継線材により制御基板１０３に接続される。図３においては、トレイ移動用モーター１０５が中継線材１０５ａにより、スピンドルモーター１０６が中継線材１０６ａにより、ヘッド１０７が中継線材１０７ａにより、ヘッド移動用モーター１０８が中継線材１０８ａにより、制御基板１０３に接続されている。なお、制御基板に組み込まれる回路部品（不図示）の高さを考慮して基台１０１に取り付け用ボス１０１ｅ、１０１ｆを設ける必要がある。この１０１ｅ、１０１ｆを設けることにより基台１０１の全高が高くなる。
【０００５】
図４は、制御基板１０３を基台１０１の上面へ取り付けたディスク再生装置の側面図である。基台１０１の上面及び下面に制御基板１０３を取り付け可能なように基台１０１下面の支持突起１０１ａ、１０１ｂの他に、基台１０１上面に支持突起１０１ｃ、１０１ｄが設けられている。この支持突起１０１ｃ、１０１ｄが設けられ、基台１０１上面に制御基板１０３が配設されている以外は図３の構成と同様である。
【０００６】
図４では、制御基板１０３を上面及び下面へ取り付け可能とするために、基台１０１の下面にも支持突起１０１ａ、１０１ｂ、ボス１０１ｅ、１０１ｆが設けられているので、図３よりも全高が高くなっている。また、それぞれの中継線材は制御基板１０３を基台１０１の上面及び下面のどちらに取り付けるかによって線長及び線処理方法の変更が必要となる。更に、制御基板１０３の形状も回路部品の高さ及び中継線材との接続位置の問題により形状変更が必要となる。
【０００７】
図５は、上下に２台のディスク再生装置を搭載した機器の側面図である。筐体１１３の下側に搭載されるディスク再生装置は図３のものを用い、上側に搭載されるディスク再生装置は図４のものを用いている。なお、図５においては各中継線材を省略している。各ディスク再生装置は筐体１１３内に設けられた土台１１２に固定される。筐体１１３の前面は前面パネル１１１で覆われ、前面パネル１１１にはトレイ排出口１１１ａ、１１１ｂが形成されている。
【０００８】
図５では、上側に搭載されたディスク再生装置がその上面に制御基板１０３を備えているので、トレイ排出口１１１ｂの位置を更に上側に形成することができない。一方、下側に搭載されたディスク再生装置がその下面に制御基板１０３を備えているので、トレイ排出口１１１ａの位置を更に下側に形成することができない。
【０００９】
また、特許文献１の電子スチルカメラにおいても上記のような構成となっている。
【００１０】
【特許文献１】
特開平４−１３９６８８号公報
【００１１】
【発明が解決しようとする課題】
ディスク再生装置の開発においては小型化・薄型化が要求されているので、上記のように全高が高くなることを改良する必要がある。また装置の設計上、制御基板１０３は基台１０１の上下面のどちらにも設けられるようにすることが望ましく、その際の部材の共通化も課題となる。
【００１２】
本発明は、上記の問題点に鑑み、小型化・薄型化が可能なディスク再生装置を提供することを目的とする。また、制御基板の取り付け位置を選択可能なディスク再生装置を提供することも目的とする。
【００１３】
【課題を解決するための手段】
上記目的を達成するために本発明は、ディスクを搬送するトレイと、該トレイを駆動するトレイ移動用モーターと、ディスクを回転させるスピンドルモーターと、ディスクの記録内容を読み取るヘッドと、該ヘッドを駆動するヘッド移動用モーターと、各部材を制御する制御基板と、各部材を搭載する基台とを備えたディスク再生装置において、前記基台の外面に凹部を設け、該凹部に前記制御基板を配設することを特徴とするものである。
【００１４】
このように、基台の凹部に制御基板を配設することにより、制御基板の設置前後でディスク再生装置の全高は変化せず、小型化・薄型化が可能となる。その結果、トレイの排出口の位置設計の自由度が増し、意匠の制約をなくすことができる。
【００１５】
また、前記凹部を前記トレイに略平行な前記基台の両外面に設けることにより、多様な製品形態に応じて制御基板の取り付け位置が選択可能となるため、種々の機器に本ディスク再生装置を搭載することができる。従って、製品間の部品の共通化ができ、生産効率改善とともにコストを削減することができる。
【００１６】
また、前記凹部に前記制御基板を固定する基板支持部（突起など）を設けることにより、ビス等で簡単に制御基板を固定することができる。
【００１７】
また、前記各部材と前記制御基板とを電気的に接続する中継基板を設けることにより、各部材間を接続する中継線材を短くすることができ、中継線材が可動部と接触して動作を妨げることを防止できる。更に、制御基板を基台の上下どちらの面に設置した場合でも各部材と中継基板とを接続する中継線材の長さは変更する必要がなく、部品の共通化に繋がる。
【００１８】
【発明の実施の形態】
図１（ａ）は、制御基板８を基台１の下面へ取り付けたディスク再生装置の側面図であり、図１（ｂ）は図１（ａ）の底面図である。基台１の上下面には凹部１１ａ、１１ｂが形成されている。この凹部１１ａに支持突起１０１ａ〜１０１ｄを設けて制御基板８をビス等で固定可能にしている。なお、凹部１１ａ、１１ｂは、制御基板８が基台１の上下面から突出しないように収まる大きさであればよい。凹部１１ａ、１１ｂの形成位置は、トレイ２の収納や他の部材の邪魔にならない位置であればよく、図１のように、基台１の後端が望ましい。
【００１９】
基台１の中には、スピンドルモーター５、ヘッド６、ヘッド移動用モーター７等からなるディスク再生部９が設けられる。また、ディスク搬送用のトレイ２及びトレイ移動用モーター３も設けられる。
【００２０】
各部材は中継線材や基台１に固定された中継基板４を介して制御基板８に接続される。図１においては、トレイ移動用モーター３が中継線材３ａにより中継基板４に接続され、スピンドルモーター５が中継線材５ａにより中継基板４に接続され、ヘッド６が中継線材６ａにより制御基板８のコネクタ８ｂに接続され、ヘッド移動用モーター７が中継線材７ａにより中継基板４に接続され、中継基板４が中継線材４ａにより制御基板８のコネクタ８ａに接続されている。なお、ディスク再生部９は支点１ｅを軸に矢印Ａ方向に回転するので、各中継線材は適度に余裕を持たせた長さとする必要がある。
【００２１】
図２（ａ）は、制御基板８を基台１の上面へ取り付けたディスク再生装置の側面図であり、図２（ｂ）は図２（ａ）の天面図である。制御基板８を基台１上面の凹部１１ｂに配設した以外の構成は図１と同様である。制御基板８は図１と同一のものを用いることができる。但し、コネクタ８ａ、８ｂが基台１の後面方向を向くように、制御基板８を１ｆ、１ｇ、１ｈ、１ｊに固定する。そして、図２のように、制御基板８に接続される中継線材は基台１の後面を通すことが望ましい。基台１中の他の部材の邪魔にならないからである。
【００２２】
上記のように、図１（ａ）に示す基台１の全高Ｄと、図２（ａ）に示す基台１の全高Ｅとは同一となり、制御基板８の取り付け位置には関係ない。また、図２（ｂ）に示すようにコネクタ８ａ、８ｂが基台１の後面方向に向くように制御基板８を配設しているので中継線材を最短４ａ、６ａにでき、線処理作業及び接続作業も容易になり、作業時間を短縮できる。
【００２３】
【発明の効果】
本発明によると、基台の凹部に制御基板を配設することにより、制御基板の設置前後でディスク再生装置の全高は変化せず、小型化・薄型化が可能となる。その結果、トレイの排出口の位置設計の自由度が増し、意匠の制約をなくすことができる。
【００２４】
また、基台の凹部をトレイに略平行な両外面に設けることにより、多様な製品形態に応じて制御基板の取り付け位置が選択可能となるため、種々の機器に本ディスク再生装置を搭載することができる。従って、製品間の部品の共通化ができ、生産効率改善とともにコストを削減することができる。
【００２５】
また、基台の凹部に制御基板を固定する基板支持部（突起など）を設けることにより、ビス等で簡単に制御基板を固定することができる。
【００２６】
また、各部材と制御基板とを電気的に接続する中継基板を設けることにより、各部材間を接続する中継線材を短くすることができ、中継線材が可動部と接触して動作を妨げることを防止できる。更に、制御基板を基台の上下どちらの面に設置した場合でも各部材と中継基板とを接続する中継線材の長さは変更する必要がなく、部品の共通化に繋がる。
【図面の簡単な説明】
【図１】（ａ）制御基板を基台の下面へ取り付けたディスク再生装置の側面図である。
（ｂ）図１（ａ）の底面図である。
【図２】（ａ）制御基板を基台の上面へ取り付けたディスク再生装置の側面図である。
（ｂ）図２（ａ）の天面図である。
【図３】従来の制御基板を基台の下面へ取り付けたディスク再生装置の側面図である。
【図４】従来の制御基板を基台の上面へ取り付けたディスク再生装置の側面図である。
【図５】従来の上下に２台のディスク再生装置を搭載した機器の側面図である。
【符号の説明】
１    基台
１ａ〜１ｄ    基板支持部
１ｅ    支点
１ｆ〜１ｊ    基板支持部
２    トレイ
３    トレイ移動用モーター
３ａ、４ａ、５ａ、６ａ、７ａ    中継線材
４    中継基板
５    スピンドルモーター
６    ヘッド
７    ヘッド移動用モーター
８    制御基板
１１ａ、１１ｂ    凹部
【図１】
2004362641.tif 000003
【図２】
2004362641.tif 000004
【図３】
2004362641.tif 000005
【図４】
2004362641.tif 000006
【図５】
2004362641.tif 000007